(57)【要約】【課題】携帯型情報処理装置のより安全で確実なリセット操作を提供することを目的とする。【解決手段】外部接続装置が接続されているかどうかを検出する外部装置検出手段１５と、リセット指示を行なうリセット指示手段１８と、外部装置検出手段１５からの外部装置接続情報と、前記リセット指示手段のリセット指示に基づいてリセット操作を行うかの条件判定するリセット条件判定手段１６と、リセット条件判定手段１６の指示で携帯型情報処理装置のリセット操作を行なうリセット処理手段１７と、を備えたことリセット装置であり、携帯型情報処理装置１３が搬送、移動状態であると判断された場合には、搬送、移動中の誤動作によってリセットの指示がなされてもリセット操作の実行をしないようにすることでよりリセット誤操作防止をする。【選択図】図１
2007133537.tif 000002
【特許請求の範囲】
【請求項１】
携帯型情報処理装置のシステムの初期化操作を行なうリセット装置であって、
外部接続装置が接続されているかどうかを検出する外部装置検出手段と、
リセット指示を行なうリセット指示手段と、
前記外部装置検出手段からの外部装置接続情報と、前記リセット指示手段のリセット指示に基づいてリセット操作を行うかの条件判定するリセット条件判定手段と、
前記リセット条件判定手段の指示で前記携帯型情報処理装置のリセット操作を行なうリセット処理手段と、
を備えたことを特徴とする携帯型情報処理装置のリセット装置。
【請求項２】
前記外部接続装置がＡＣ電源をＤＣ電圧に変換して電力供給をするＡＣアダプタである請求項１に記載の携帯型情報処理装置のリセット装置。
【請求項３】
前記外部接続装置が有線ＬＡＮである請求項１に記載の携帯型情報処理装置のリセット装置。
【請求項４】
前記外部接続装置が前記携帯型情報処理装置と外部接続装置との接続の仲介をする接続機器であるドッキングステーションである請求項１に記載の携帯型情報処理装置のリセット装置。
【発明の詳細な説明】
【技術分野】
【０００１】
本発明は携帯型情報処理装置における装置のシステムの初期化操作（以下、リセット）に関するものである。
【背景技術】
【０００２】
近年、情報機器の小型・軽量化が進み、ノートパソコンやＰＤＡ（Ｐｅｒｓｏｎａｌ  Ｄｉｇｉｔａｌ  Ａｓｓｉｓｔａｎｃｅ、個人用の携帯情報端末）など携帯可能な情報機器が多く利用されている。これらの情報機器において、リセット処理では誤操作を防ぐために複数のボタンを同時に押下するような操作、あるいは通常利用では操作しにくい位置である背面や底面にリセットボタンを設ける、あるいはリセットボタン周囲に枠を設けるようにしてリセット誤操作防止策をとってきた。
【０００３】
図２は従来の携帯型情報処理装置のリセット装置を説明する図である。
【０００４】
図２において、１１はＡＣコンセントから電力供給され、ＤＣ電圧に変換してＰＤＡ１３本体に電力供給する外部接続装置の一つであるＡＣアダプタである。１２はＡＣアダプタに電力を供給する電源ケーブル、１３は携帯型情報処理装置の一つであるＰＤＡ、１４は電源ジャック、１８はＰＤＡ１３のリセットを行なうリセットボタン（後述ではリセット指示手段）である。
【０００５】
以上のように構成された従来のリセット装置について、以下その動作について説明する。
【０００６】
図のようにＰＤＡ１３が鞄などにいれて搬送、移動状態でない場合には、机等の上に静置して、ＡＣアダプタ１１からの電源供給を受け使用される。ＰＤＡ１３の使用中にフリーズ（ハングアップ）等の不具合を生じたときには、やむをえずリセットボタン１８を押してシステムを初期化して使用することもある。リセットボタンは一般には押しにくい場所に配置したり、複数ボタンを同時押下にしたり、ペン先のような細く尖ったものでないと押せないようになっている。
【特許文献１】特開２００１ー３０６１９２号公報
【発明の開示】
【発明が解決しようとする課題】
【０００７】
携帯型情報処理装置、たとえばＰＤＡを鞄などに入れた状態で運搬される移動中に予期しないボタン押下が発生し、ユーザーの意図しないリセット操作が行なわれることがあった。このようなユーザーの予期しないボタン押下は押しにくいボタン配置や複数ボタンの同時押下は対処しきれていなかった。（以下、携帯型情報処理装置をＰＤＡで代表して記載する。）
本発明は上記従来の問題点を解決するもので、より安全で確実なリセット操作を提供することを目的とする。
【課題を解決するための手段】
【０００８】
本発明の請求項１に記載の発明は、
携帯型情報処理装置のシステムの初期化操作を行なうリセット装置であって、外部接続装置が接続されているかどうかを検出する外部装置検出手段と、リセット指示を行なうリセット指示手段と、前記外部装置検出手段からの外部装置接続情報と、前記リセット指示手段のリセット指示に基づいてリセット操作を行うかの条件判定するリセット条件判定手段と、前記リセット条件判定手段の指示で前記携帯型情報処理装置のリセット操作を行なうリセット処理手段と、を備えたことを特徴とする携帯型情報処理装置のリセット装置としたものであり、
携帯型情報処理装置が搬送、移動状態であると判断された場合には、搬送、移動中の誤動作によってリセットの指示がなされてもリセット操作の実行をしないようにすることでより安全で確実なリセット操作を提供することが可能となるという作用を有する。
【発明の効果】
【０００９】
以上のように本発明は、携帯型情報処理装置が搬送、移動状態であると判断された場合には、搬送、移動中の誤動作によってリセットの指示がなされてもリセット操作の実行をしないようにすることでより安全で確実なリセット操作を提供することが可能となるという優れた効果が得られる。
【発明を実施するための最良の形態】
【００１０】
以下、本発明の実施の形態について、図１を用いて説明する。
【００１１】
（実施の形態１）
図１は本発明のより安全で確実なリセット操作を行なうための携帯型情報処理装置のリセット装置の構成図である。
【００１２】
図１において、１１はＡＣコンセントから電力供給され、ＤＣ電圧に変換してＰＤＡ１３本体に電力供給する外部接続装置の一つであるＡＣアダプタである。１２はＡＣアダプタに電力を供給する電源ケーブル、１３は携帯型情報処理装置の一つであるＰＤＡ、１４は電源ジャック、１５は電源供給状態を認識する電源情報管理手段、１８はリセット指示を行なうリセット指示手段、１６は電源情報管理手段１５のからの電源供給情報と、リセット指示手段１８のリセット指示に基づいてリセット操作を行うかの条件判定するリセット条件判定手段、１７はリセット条件判定手段１６の指示でＰＤＡのリセット操作を行うリセット処理手段である。
【００１３】
以上のように構成された本発明の実施例について、図１を用いてその動作を説明する。
【００１４】
ＰＤＡ１３はＡＣアダプタ１１から電源供給を受ける場合、ＡＣアダプタ１１から電源ケーブル１２、電源ジャック１４を通じて電源情報管理手段１５においてＰＤＡ１３が外部接続装置であるＡＣアダプタ１１から電源供給を受けていることを認識する。ＡＣアダプタ１１から電源供給を受けない、つまりＰＤＡ１３は内部電池１９で動作しているものと認識する。
【００１５】
ＰＤＡ１３が搬送、移動状態の場合、ＡＣアダプタ１１からの電源供給は行なわれない。一方、ＡＣアダプタ１１からの電源供給を行なうにはＰＤＡ１３がＡＣアダプタ１１から電力供給される場所、つまり搬送、移動状態でない位置に静置されていると判断できる。
【００１６】
リセット指示手段１８からのリセット指示は、リセット条件判定手段１６に通知される。リセット条件判定手段１６では、電源情報管理手段１５がＡＣアダプタ１１からの電力供給状態を示していれば静置状態であると判定し、リセット処理手段１７にリセット操作を実際に行なうよう通知する。ＡＣアダプタ１１から電力供給されていなければ、搬送、移動状態の可能性があり、リセット指示手段１８からのリセット指示が誤操作であるとの情報が発行された場合とみなし、リセット操作の実行をリセット処理手段１７に行なわない。
【００１７】
以上のように本実施の形態によれば、ＰＤＡ１３が搬送、移動状態であると判断された場合には、搬送、移動中の誤動作によってリセットの指示がなされてもリセット操作の実行をしないようにすることでより安全で確実なリセット操作を提供することが可能となる。
【００１８】
なお、本実施の形態において、ＰＤＡ１３が搬送、移動状態ではない静置されている条件としてＡＣアダプタによる電力供給を例にとって説明したが、これに限るものではなく他の外部接続装置を接続条件として、その接続を検知した場合はＰＤＡが搬送、移動状態でないと判断すればよい。例えばその外部接続装置が有線ＬＡＮの接続、ＰＤＡと外部接続装置との接続の仲介をする接続機器であるドッキングステーションに、ＰＤＡがセットされたことであってもよい。
【産業上の利用可能性】
【００１９】
本発明にかかる携帯型情報処理装置のリセット装置は、携帯型情報処理装置が搬送、移動状態であると判断された場合には、搬送、移動中の誤動作によってリセットの指示がなされてもリセット操作の実行をしいなようにすることでより安全で確実なリセット操作を提供することが可能となるという効果を有し、携帯型情報処理装置におけるリセット誤操作防止等として有用である。
【図面の簡単な説明】
【００２０】
【図１】本発明の携帯型情報処理装置のリセット装置の構成図
【図２】従来の携帯型情報処理装置のリセット装置を説明する図
【符号の説明】
【００２１】
１１  ＡＣアダプタ
１２  電源ケーブル
１３  ＰＤＡ（携帯型情報処理装置）
１４  電源ジャック
１５  電源情報管理手段
１６  リセット条件判定手段
１７  リセット処理手段
１８  リセット指示手段（リセットボタン）
１９  内部電池
【図１】
2007133537.tif 000003
【図２】
2007133537.tif 000004